【手続補正書】
【提出日】平成30年5月11日(2018.5.11)
【手続補正１】
【補正対象書類名】特許請求の範囲
【補正対象項目名】全文
【補正方法】変更
【補正の内容】
【特許請求の範囲】
【請求項１】
パンニングされる撮像装置の動きを検出する動き検出手段の出力から前記撮像装置のパンニング情報を取得するパンニング情報取得手段と、
前記パンニング中に撮像素子の出力を用いて生成された動きベクトルから被写体像の移動を示す被写体移動情報を取得する動きベクトル取得手段と、
前記パンニング情報と前記被写体移動情報に基づいて、光軸方向とは異なる方向に光学素子の駆動を制御する制御手段と、
前記パンニング情報と前記被写体移動情報との関係が前記光学素子の駆動によって決定される流し撮り可能な範囲であるか否かの情報を表示手段に表示させる表示制御手段とを有し、
前記パンニング情報はパンニング方向及びパンニング量に関する情報の少なくとも１つを含み、
前記被写体移動情報は被写体移動方向及び被写体移動量に関する情報の少なくとも１つを含むことを特徴とするパンニング情報表示装置。
【請求項２】
前記表示制御手段は、前記表示手段に、前記撮像素子によって取得される画像信号に基づいて画像を表示させ、かつ、前記パンニング情報と前記被写体移動情報との関係が前記光学素子の駆動によって決定される前記流し撮り可能な範囲であるか否かの情報を表示させることを特徴とする請求項１に記載のパンニング情報表示装置。
【請求項３】
前記表示制御手段は、前記表示手段に、前記パンニング方向と前記被写体移動方向との差分が前記流し撮り可能な範囲であるか否かの情報を表示させることを特徴とする請求項１または２に記載のパンニング情報表示装置。
【請求項４】
前記表示制御手段は、前記表示手段に、前記被写体移動量が前記流し撮り可能な範囲であるか否かの情報を表示させることを特徴とする請求項１乃至３のいずれか一項に記載のパンニング情報表示装置。
【請求項５】
前記パンニング情報と前記被写体移動情報との関係を示す情報を焦点距離及び露光時間の少なくとも１つにより変更することを特徴とする請求項１乃至４のいずれか一項に記載のパンニング情報表示装置。
【請求項６】
パンニングされる撮像装置の動きを検出する動き検出手段の出力から前記撮像装置のパンニング情報を取得するステップと、
前記パンニング中に撮像素子の出力を用いて生成された動きベクトルから被写体像の移動を示す被写体移動情報を取得するステップと、
前記パンニング情報と前記被写体移動情報に基づいて光軸とは異なる方向に光学素子を駆動するステップとを有し、
前記パンニング情報と前記被写体移動情報との関係が前記光学素子の駆動によって決定される流し撮り可能な範囲であるか否かの情報が表示手段に表示され、
前記パンニング情報はパンニング方向及びパンニング量に関する情報の少なくとも１つを含み、
前記被写体移動情報は被写体移動方向及び被写体移動量に関する情報の少なくとも１つを含むことを特徴とするパンニング情報の表示処理を実行する方法。
【請求項７】
コンピュータにパンニング情報の表示処理を実行させるコンピュータプログラムであって、
前記表示処理は、
パンニングされる撮像装置の動きを検出する動き検出手段の出力から前記撮像装置のパンニング情報を取得し、
前記パンニング中に撮像素子の出力を用いて生成された動きベクトルから被写体像の移動を示す被写体移動情報を取得し、
前記パンニング情報と前記被写体移動情報に基づいて光軸とは異なる方向に光学素子を駆動させる処理であり、
前記パンニング情報と前記被写体移動情報との関係が前記光学素子の駆動によって決定される流し撮り可能な範囲であるか否かの情報が表示手段に表示され、
前記パンニング情報はパンニング方向及びパンニング量に関する情報の少なくとも１つを含み、
前記被写体移動情報は被写体移動方向及び被写体移動量に関する情報の少なくとも１つを含むことを特徴とするパンニング情報表示プログラム。
【手続補正２】
【補正対象書類名】明細書
【補正対象項目名】発明の名称
【補正方法】変更
【補正の内容】
【発明の名称】パンニング情報表示装置、パンニング情報の表示処理を実行する方法およびパンニング情報表示プログラム
【手続補正３】
【補正対象書類名】明細書
【補正対象項目名】０００１
【補正方法】変更
【補正の内容】
【０００１】
本発明は、カメラ等の撮像装置におけるライブビュー映像の表示を制御する装置に関し、特にパンニング撮像（流し撮り）時のガイダンス表示を行うパンニング情報表示装置に関する。
【手続補正４】
【補正対象書類名】明細書
【補正対象項目名】０００７
【補正方法】変更
【補正の内容】
【０００７】
本発明は、流し撮りを行うユーザに対して適切なパンニングの速度や方向を認識させるためのガイダンス表示を行えるようにしたパンニング情報表示装置を提供する。
【手続補正５】
【補正対象書類名】明細書
【補正対象項目名】０００８
【補正方法】変更
【補正の内容】
【０００８】
本発明の一側面としてのパンニング情報表示装置は、パンニングされる撮像装置の動きを検出する動き検出手段の出力から前記撮像装置のパンニング情報を取得するパンニング情報取得手段と、前記パンニング中に撮像素子の出力を用いて生成された動きベクトルから被写体像の移動を示す被写体移動情報を取得する動きベクトル取得手段と、前記パンニング情報と前記被写体移動情報に基づいて、光軸方向とは異なる方向に光学素子の駆動を制御する制御手段と、前記パンニング情報と前記被写体移動情報との関係が前記光学素子の駆動によって決定される流し撮り可能な範囲であるか否かの情報を表示手段に表示させる表示制御手段とを有し、前記パンニング情報はパンニング方向及びパンニング量に関する情報の少なくとも１つを含み、前記被写体移動情報は被写体移動方向及び被写体移動量に関する情報の少なくとも１つを含むことを特徴とする。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】変更
【補正の内容】
【００１０】
また、本発明の他の一側面としてのパンニン情報の表示処理を実行する方法は、パンニングされる撮像装置の動きを検出する動き検出手段の出力から前記撮像装置のパンニング情報を取得するステップと、前記パンニング中に撮像素子の出力を用いて生成された動きベクトルから被写体像の移動を示す被写体移動情報を取得するステップと、前記パンニング情報と前記被写体移動情報に基づいて光軸とは異なる方向に光学素子を駆動するステップとを有し、前記パンニング情報と前記被写体移動情報との関係が前記光学素子の駆動によって決定される流し撮り可能な範囲であるか否かの情報が表示手段に表示され、前記パンニング情報はパンニング方向及びパンニング量に関する情報の少なくとも１つを含み、前記被写体移動情報は被写体移動方向及び被写体移動量に関する情報の少なくとも１つを含むことを特徴とする。
【手続補正８】
【補正対象書類名】明細書
【補正対象項目名】００１１
【補正方法】変更
【補正の内容】
【００１１】
また、本発明の他の一側面としてのパンニング情報表示プログラムは、コンピュータにパンニング情報の表示処理を実行させるコンピュータプログラムである。該表示処理は、パンニングされる撮像装置の動きを検出する動き検出手段の出力から前記撮像装置のパンニング情報を取得し、前記パンニング中に撮像素子の出力を用いて生成された動きベクトルから被写体像の移動を示す被写体移動情報を取得し、前記パンニング情報と前記被写体移動情報に基づいて光軸とは異なる方向に光学素子を駆動させる処理であり、前記パンニング情報と前記被写体移動情報との関係が前記光学素子の駆動によって決定される流し撮り可能な範囲であるか否かの情報が表示手段に表示され、前記パンニング情報はパンニング方向及びパンニング量に関する情報の少なくとも１つを含み、前記被写体移動情報は被写体移動方向及び被写体移動量に関する情報の少なくとも１つを含む
ことを特徴とする。
【手続補正９】
【補正対象書類名】明細書
【補正対象項目名】００１２
【補正方法】削除
【補正の内容】